(57)【特許請求の範囲】
【請求項１】
映像信号を受信する映像受信装置と、
前記映像受信装置が受信した映像内容に関連する情報に応じた通知情報を受信する通知受信装置と、を備え、
前記通知情報は、前記通知受信装置を所持する者に対し、前記映像受信装置が表示する映像の所定の再生位置で前記映像の内容に関連する所定の行動をとるよう協力を依頼する情報であり、
前記映像受信装置は、
前記通知情報を送信する通知手段と、
複数の前記通知受信装置のアドレス情報をユーザ名に関連付けて記憶する記憶手段と、を備え、
前記通知手段は、前記記憶手段に記憶された前記複数の通知受信装置のアドレス情報の内、前記映像受信装置が受信した映像内容に関連する情報に基づいて選択されたユーザ名のアドレス情報に対して前記通知情報を送信し、
前記映像内容に関連する情報は、映像内容に関する協力依頼内容および協力者の判別条件を含み、
前記映像受信装置は、
前記記憶手段に記憶されたユーザ名の内、どのユーザが視聴者であり、どのユーザが協力者であるかを前記判別条件に基づいて判別する判別手段を備え、
前記記憶手段に記憶された前記複数の通知受信装置のアドレス情報の内、前記判別手段により協力者と判別されたユーザ名のアドレス情報に対して前記通知情報を送信することを特徴とする映像受信システム。
【請求項２】
前記判別手段により視聴者と判別されたユーザの視聴状況に所定時間以上の変化があるか否かを検知する状況変化検知手段と、
前記通知手段は、前記状況変化検知手段が視聴状況の変化を検知した場合、前記判別手段により協力者と判別されたユーザ名のアドレス情報に対して該視聴状況の変化を通知することを特徴とする請求項１記載の映像受信システム。
【請求項３】
前記映像受信装置が前記映像内容の表示を終了すると、前記通知手段は、前記判別手段により視聴者と判別されたユーザ名のアドレス情報に対して、前記通知情報を送信することを特徴とする請求項２記載の映像受信システム。
【請求項４】
映像受信装置が映像信号を受信する工程と、
前記映像受信装置が受信した映像内容に関連する情報に応じた通知情報を通知受信装置が受信する工程と、を含み、
前記通知情報は、前記通知受信装置を所持する者に対し、前記映像受信装置が表示する映像の所定の再生位置で前記映像の内容に関連する所定の行動をとるよう協力を依頼する情報であり、
前記映像受信装置が前記通知情報を送信する工程と、
前記映像受信装置が複数の前記通知受信装置のアドレス情報をユーザ名に関連付けて記憶する工程と、を備え、
前記通知情報を送信する工程は、前記記憶する工程により記憶された前記複数の通知受信装置のアドレス情報の内、前記映像受信装置が受信した映像内容に関連する情報に基づいて選択されたユーザ名のアドレス情報に対して前記通知情報を送信する工程であり、
前記映像内容に関連する情報は、映像内容に関する協力依頼内容および協力者の判別条件を含み、
前記映像受信装置が前記記憶する工程により記憶されたユーザ名の内、どのユーザが視聴者であり、どのユーザが協力者であるかを前記判別条件に基づいて判別する工程を備え、
前記映像受信装置が前記記憶する工程により記憶された前記複数の通知受信装置のアドレス情報の内、前記判別する工程により協力者と判別されたユーザ名のアドレス情報に対して前記通知情報を送信する工程を含むことを特徴とする映像受信方法。
【発明の詳細な説明】
【技術分野】
【０００１】
本発明は、例えばＴＶ番組などの各種映像データを受信するための映像受信システムおよび映像受信方法に関する。
【背景技術】
【０００２】
近年のＴＶでは、映像や音声の質を高め、臨場感を高めようとするものがある。例えば３Ｄ映像技術を利用したＴＶが商品化されつつあり、その他の五感（嗅覚や触覚など）に訴えかける技術も研究されている。
【０００３】
また、家族毎のユーザＩＤを設定可能としてそのユーザＩＤ毎に個人属性情報をサーバに登録し、ユーザＩＤに関連付けられた個人属性情報を利用して情報端末を操作した個人を特定することで、世帯主だけでなくその家族も含めたマーケティングに役立たせるようにするものがある（例えば、特許文献１参照）。
【先行技術文献】
【特許文献】
【０００４】
【特許文献１】ＷＯ２００４−０８８９８６号公報
【発明の概要】
【発明が解決しようとする課題】
【０００５】
しかしながら、上述のような映像や音声の質を高める技術では、映像受信装置の購入当初は驚きをもって臨場感を楽しめても、いずれは慣れてしまうという課題が存在する。すなわち、映像受信装置の映像や音声の質以上の臨場感は得ることができないという課題があった。
【０００６】
また、視聴者以外の人が、番組中のある時点で視聴者にとっての臨場感を高めるように何らかの行動をするためには、視聴されている番組における行動を起こす時点の内容をその時点よりも前の時間に知っている必要がある。そうした視聴されている番組における表示中の現時点よりも先の内容について、視聴者以外の人が所定時間に行動を起こせるようにその人に通知する方法がこれまでなかった。
【０００７】
また、上述した特許文献１のものは、家族毎のユーザＩＤによりどのユーザがどのような入力を行ったかを把握しようとするものであり、映像の臨場感を高めることについてまで考慮されたものではなかった。
【０００８】
本発明はこのような状況に鑑みてなされたものであり、視聴者以外の協力者に、映像内容における現時点よりも先の内容についての情報を予め通知することで、映像の臨場感を、単なる映像や音声の質を超えて増すことができる映像受信システムおよび映像受信方法を提供することを目的とする。
【課題を解決するための手段】
【０００９】
かかる目的を達成するために、本発明に係る映像受信システムは、映像信号を受信する映像受信装置と、前記映像受信装置が受信した映像内容に関連する情報に応じた通知情報を受信する通知受信装置と、を備え、前記通知情報は、前記通知受信装置を所持する者に対し、前記映像受信装置が表示する映像の所定の再生位置で前記映像の内容に関連する所定の行動をとるよう協力を依頼する情報であり、前記映像受信装置は、前記通知情報を送信する通知手段と、複数の前記通知受信装置のアドレス情報をユーザ名に関連付けて記憶する記憶手段と、を備え、前記通知手段は、前記記憶手段に記憶された前記複数の通知受信装置のアドレス情報の内、前記映像受信装置が受信した映像内容に関連する情報に基づいて選択されたユーザ名のアドレス情報に対して前記通知情報を送信し、前記映像内容に関連する情報は、映像内容に関する協力依頼内容および協力者の判別条件を含み、前記映像受信装置は、前記記憶手段に記憶されたユーザ名の内、どのユーザが視聴者であり、どのユーザが協力者であるかを前記判別条件に基づいて判別する判別手段を備え、前記記憶手段に記憶された前記複数の通知受信装置のアドレス情報の内、前記判別手段により協力者と判別されたユーザ名のアドレス情報に対して前記通知情報を送信することを特徴とする。
【００１０】
また、本発明に係る映像受信方法は、映像受信装置が映像信号を受信する工程と、前記映像受信装置が受信した映像内容に関連する情報に応じた通知情報を通知受信装置が受信する工程と、を含み、前記通知情報は、前記通知受信装置を所持する者に対し、前記映像受信装置が表示する映像の所定の再生位置で前記映像の内容に関連する所定の行動をとるよう協力を依頼する情報であり、前記映像受信装置が前記通知情報を送信する工程と、前記映像受信装置が複数の前記通知受信装置のアドレス情報をユーザ名に関連付けて記憶する工程と、を備え、前記通知情報を送信する工程は、前記記憶する工程により記憶された前記複数の通知受信装置のアドレス情報の内、前記映像受信装置が受信した映像内容に関連する情報に基づいて選択されたユーザ名のアドレス情報に対して前記通知情報を送信する工程であり、前記映像内容に関連する情報は、映像内容に関する協力依頼内容および協力者の判別条件を含み、前記映像受信装置が前記記憶する工程により記憶されたユーザ名の内、どのユーザが視聴者であり、どのユーザが協力者であるかを前記判別条件に基づいて判別する工程を備え、前記映像受信装置が前記記憶する工程により記憶された前記複数の通知受信装置のアドレス情報の内、前記判別する工程により協力者と判別されたユーザ名のアドレス情報に対して前記通知情報を送信する工程を含むことを特徴とする。
【発明の効果】
【００１１】
以上のように、本発明によれば、視聴者以外の協力者に、映像内容における現時点よりも先の内容についての情報を予め通知することで、映像の臨場感を、単なる映像や音声の質を超えて増すことができる。
【図面の簡単な説明】
【００１２】
【図１】本発明の第１の実施形態を示すシステム構成例を示すブロック図である。
【図２】ＴＶ受信装置３の構成例を示すブロック図である。
【図３】ＴＶ受信装置３による視聴動作例を示すフローチャートである。
【図４】本発明の第２の実施形態を示すシステム構成例を示すブロック図である。
【図５】本発明の第３の実施形態を示すシステム構成例を示すブロック図である。
【図６】受信ボックス６の構成例を示すブロック図である。
【発明を実施するための形態】
【００１３】
次に、本発明に係る映像受信システムおよび映像受信方法を適用した一実施形態について、図面を用いて詳細に説明する。
【００１４】
〔第１の実施形態〕
まず、本実施形態の概略について説明する。
第１の実施形態は、放送局における番組の企画者などが、番組中に視聴者以外の誰か（協力者）に何かの行動をしてもらうように企画し、その協力者条件（協力者の判別条件）と協力依頼内容とをＴＶ番組の映像信号と共に送信することにより、所定のタイミングで協力者の携帯電話（通知受信装置）に協力依頼通知が送信されるようにしたものである。
【００１５】
こうして、ＴＶ番組の所定の再生位置で、通知を受けた協力者が協力依頼通知により通知された行動をとることにより、番組の視聴者におけるＴＶ番組の臨場感をより高めることができる。
【００１６】
次に、第１の実施形態の構成について説明する。
本実施形態のＴＶ受信装置３は、図１に示すように、放送局１から送信される放送電波を受信してＴＶ番組等の映像を視聴できるようになっている。
また、ＴＶ受信装置３は、文字放送などのデータ放送により、本実施形態として放送局１から送信される協力依頼内容および協力者条件のデータを番組内容に関連する情報として受信できるようになっている。この協力依頼内容および協力者条件のデータを受信することにより、ＴＶ受信装置３は、カメラ等により協力者と判断した人の携帯電話４２に対して、協力依頼メールを送信する。
【００１７】
ユーザによりＴＶ受信装置３に登録された各携帯電話（通知受信装置）は、ユーザの設定により、ＧＰＳによる位置情報を所定時間毎にＴＶ受信装置３に送信する。ＴＶ受信装置３は、上述した協力者の判断に、上記のカメラに加えて、このＧＰＳ情報などを利用する。
【００１８】
また、放送局の企画者などは、Ｗｅｂサーバ２に、放送する番組についてのＷｅｂサイト情報を格納する。こうして、放送局の企画者などが番組のＷｅｂサイトに、本実施形態による協力依頼内容および協力者条件のデータを送信している旨を公開しておくことにより、協力者は、協力依頼メールを受信した際、自身の携帯電話４２などから番組のＷｅｂサイトにアクセスし、協力依頼メールの内容の真偽を確認することができる。
【００１９】
ＴＶ受信装置３は、図２に示すように、放送局１からの映像信号やデータ放送信号を不図示の屋上アンテナなどから受信する受信部３１と、ユーザからの操作入力を受ける操作入力部３２と、設定内容等を記憶する記憶部３３と、人の判別を行う人判別部３４と、協力者の携帯電話４２への通知制御を行う通知制御部３５と、ディスプレイやスピーカなどで映像や音声を出力する映像出力部３６と、カメラ３７と、通信部３８とを備える。
【００２０】
記憶部３３は、初期設定などにより登録された各ユーザの顔画像、携帯電話のメールアドレス、属性（年齢、両親、子ども等）などのユーザ情報を、そのユーザ名に関連付けて格納する。
【００２１】
人判別部３４は、カメラ３７により撮影された画像による顔認識で視聴者を判別すると共に、ＧＰＳ情報により、ＴＶ受信装置３の前にいる、家の中にいる、家から離れたところにいる、といった位置条件を判別する。こうしてカメラ３７により撮影された画像と、通信部３８が受信した各携帯電話からのＧＰＳ情報などを用いて、人判別部３４は、予め登録されたユーザの内、誰が視聴者であるか、誰が協力者となりうるかを判別する。
【００２２】
通知制御部３５は、受信部３１から受信された放送局１からの協力依頼内容および協力者条件のデータに基づいて、協力依頼メールを生成し、人判別部３４により協力者と判別されたユーザの携帯電話メールアドレスに対して、通信部３８から送信する。
【００２３】
次に、本実施形態による動作について説明する。
まず、本実施形態による機能を利用するための事前準備として、ユーザはＴＶ受信装置３の購入時などに初期設定として、家族全員など関連ユーザ全員の顔画像、携帯電話のメールアドレス、属性情報（年齢、両親、子ども等）などのユーザ情報の登録を行う。
顔画像は、カメラ３７で撮影することで登録する。このことにより、カメラ３７による撮影画像から人判別部３４が顔認識でユーザを判別できるようにする。
【００２４】
また、携帯電話からＧＰＳ情報を所定時間毎にＴＶ受信装置３に対して送信する設定を、登録する関連ユーザそれぞれの携帯電話４について行う。この携帯電話４によるＧＰＳ情報送信は、ＴＶ受信装置３のＩＰアドレスに送信する方法など、携帯電話の各通信会社等により定められた規格により実現される公知の方法によるものであり、詳細な説明は省略する。
【００２５】
また、放送局における番組の企画者などは、番組制作に当たって、協力依頼内容および協力者条件を準備する。
この協力依頼内容は、企画の意図に沿って、協力者となる人に番組開始から何分何秒経過の時点でこういう行動をしてもらうことで、視聴者の臨場感を高めることに協力してもらおう、といった内容である。例えば協力依頼内容の一例として、ホラー映画のハイライトシーンにあわせて視聴者の背後にそっと忍び寄ることなどが考えられる。また、準備する協力依頼内容は、カメラ３７等のセンサにより把握可能なＴＶ視聴者の状況（例えばトイレのため中座したり、眠ってしまったりなど）にあわせて複数のパターンをあらかじめ設定することも可能とする。
【００２６】
また、協力者条件は、どういう条件の人にそのアクションをしてもらうかを定めるものであり、人判別部３４による判別に用いられる。例えば、登録された関連ユーザ全員の内、カメラ３７により顔認識される視聴者以外の人であって、ＧＰＳ情報により確認される現在位置が家の中または近くである人、といった条件である。また、番組の企画意図によっては、予め登録された属性情報を用いて、何歳以上、何歳未満、といった条件などを付加することも可能である。
【００２７】
こうして決定された協力依頼内容および協力者条件のデータは、放送局１から、通常のデータ放送の仕組みを用いるなどにより、番組の映像信号と同じ放送波で放送されることとする。
【００２８】
以上のようにして事前準備が行われた後、ユーザによる番組視聴時の動作について、図３のフローチャートを参照して説明する。
【００２９】
まず、ＴＶ受信装置３の電源がＯＮされてＴＶ番組の視聴が開始されると、受信部３１により受信された映像信号を映像出力部３６が出力し、その受信された放送波データに、協力依頼内容および協力者条件のデータが含まれているか否かを通知制御部３５が確認する（ステップＳ１）。
【００３０】
放送波のデータに協力依頼内容および協力者条件のデータが含まれていない場合、一般的なＴＶ受信機と同様のＴＶ受信動作となる。含まれている場合、人判別部３４は、ＴＶ受信装置３が搭載するセンサーにより、その時点におけるＴＶ視聴者が誰で協力者が誰であるかを自律的に把握する（ステップＳ２）。
【００３１】
ＴＶ視聴時には、視聴者の顔がＴＶ受信装置３の方を向くため、人判別部３４は、カメラ３７の撮影画像による顔認識結果を、予め記憶部３３に登録された関連ユーザの顔画像と照合することにより、視聴者が誰であるかを判別することができる。そして、人判別部３４は、予め記憶部３３に登録された関連ユーザの内、こうして判別された視聴者以外で、放送波により受信された協力者条件を満たすユーザがいるかどうかを検索する。
【００３２】
例えば、協力者条件が「視聴者の近くにいる人」であれば、人判別部３４は、登録された関連ユーザの内、ＧＰＳ情報から得られる現在位置が家の中または近くであるユーザが視聴者以外で存在するかどうかを検索する。協力者条件として、さらに「何歳以上、何歳未満」といった条件が付加されている場合には、位置条件に適合するユーザに対して、予め登録された属性情報を用いて適合するユーザを検索する。
【００３３】
人判別部３４は、登録された関連ユーザの内、こうして視聴者以外で協力者条件を満たすユーザを協力者として判別する。協力者を、条件に最も適合するユーザ１人とするか、条件を満たすユーザ全員とするかは、放送波により受信された協力者条件に応じて決められることとしてよい。
【００３４】
こうして人判別部３４により視聴者と協力者が判別されると、通知制御部３５は、予め記憶部３３に登録されたユーザ情報を用いて、協力者と判別されたユーザの携帯電話メールアドレスに通信部３８から協力依頼メールを送信する（ステップＳ３）。
【００３５】
協力依頼メールは、放送波により受信された協力依頼内容により通知制御部３５が作成する。例えば「今から○○分後に（○時○分に）、視聴者の背後に忍び寄って下さい」といったメール本文となる。
【００３６】
協力依頼メールの送信タイミングは、放送波により受信された協力依頼内容やユーザ情報の登録内容などに基づいて、視聴開始時に人判別部３４が視聴者と協力者を判別した時点でメール送信してもよく、協力依頼タイミングから予め定められた時間前であってもよい。
【００３７】
協力依頼内容がＴＶ視聴者の状況によって複数パターン設定されている場合、人判別部３４により判別される視聴者の状況に応じて、通知制御部３５が適合するパターンを選択し、そのパターンの協力依頼内容による協力依頼メールを通信部３８から送信する。
【００３８】
人判別部３４は、カメラ３７による撮影画像に基づいて、例えば一時的に席を外している、眠ってしまった、など視聴者の状況を所定時間毎に判別する。
ステップＳ３による協力依頼メールの送信後に、例えば所定時間以上眠ったままである、所定時間以上席を外したままである、など所定時間以上、視聴者の状況が変化した場合（ステップＳ５；Ｙｅｓ）、通知制御部３５は、協力依頼内容の変更を通知するメールを協力者の携帯電話メールアドレスに送信する（ステップＳ６）。
【００３９】
また、ケーブルＴＶ等、タイムシフト再生が可能な再生方法で放送波を受信している構成で、視聴者が番組再生を巻き戻しや一時停止などした場合、協力依頼時刻が変化するため、視聴者の状況変化として通知制御部３５は、協力依頼内容の変更を通知するメールを協力者の携帯電話メールアドレスに送信する。
また、ＴＶのチャンネルが他のチャンネルに切り替えられたり、電源スイッチがＯＦＦされるなどにより番組の視聴が終了した場合、通知制御部３５は、視聴終了の旨を通知するメールを協力者の携帯電話メールアドレスに送信する。
【００４０】
放送波により受信された映像信号や電子番組表などから番組終了を検知すると（ステップＳ４；Ｙｅｓ）、通知制御部３５は、ＴＶ番組制作者の意図により協力者に協力依頼をした旨を通知するメールを生成し、予め登録された視聴者の携帯電話メールアドレスに送信する（ステップＳ７）。
【００４１】
以上のように、本実施形態によれば、協力者に協力依頼メールを送信し、所定のタイミングで所定の行動をしてもらうよう依頼することができるため、ＴＶ番組視聴中に臨場感を増すことができる。
また、家族間のコミュニケーションを促進することにも貢献できる。
【００４２】
一般に、家族の誰かがＴＶを視聴しているとき、その視聴者と同居する家族はＴＶ視聴者に対してお茶を淹れるなどの働きかけをおこなうことはあるが、基本的にはＴＶ視聴を妨げないよう配慮した行動をとることが多い。
しかしながら、お茶を淹れるという厚意に基づく行動であっても、視聴しているＴＶ番組がコーヒーをテーマとしていれば視聴者はコーヒーを飲みたい気分になっている場合があり、またホラー番組を見ていれば、声をかけただけで視聴者を驚かせてしまう場合もある。
一般的なＴＶ受信機の場合、家族がその点まで配慮して行動するにはＴＶ番組の内容を事前に把握しておく必要があり、現実的ではなかった。
【００４３】
本実施形態では、こうした課題を解決するため、ＴＶ番組の企画者がＴＶ視聴者と同居する家族などの予め登録された関連ユーザに対して、番組に応じた情報や指示を与えることにより、視聴者以外の協力者の協力による各種の状況をＴＶ番組の企画者が意図的に作り出すことができる。
【００４４】
例えばホラー番組を見ているときに家族にもその旨が伝わり、家族は視聴者を驚かさないよう配慮することができる。逆に、ホラー番組の恐怖感を楽しむために、視聴者を敢えて驚かすためのアイデアをＴＶ番組の企画により、家族など関連ユーザに通知することができる。
【００４５】
例えば、ホラー映画を見ているときには周囲の僅かな物音にも敏感になったり、そのとき偶然にも家族が背中に触れただけで飛び上がるほどの恐怖感を覚えることがある。
本実施形態によれば、ＴＶ番組の企画者がこのような事象を意図的につくりだすことができ、単なる映像や音声の質といったレベルを超えてＴＶ番組の臨場感を高めることができ、ＴＶ番組の楽しみを増すことができる。
【００４６】
また、本実施形態では、協力者が協力依頼メールを受信した際、番組のＷｅｂサイトにアクセスすることで、その協力依頼が本当にＴＶ局から送信されたものであるかを確認することができるようになっている。例えば、協力者に届いた協力依頼メールに確認用ＵＲＬが記載され、その専用の確認用ＵＲＬから番組のＷｅｂサイトにアクセスすることで協力依頼メールの真偽を確認できる構成などであってよい。
【００４７】
また、本実施形態では、番組終了時に、視聴者の携帯電話メールアドレスに、ＴＶ番組制作者の意図により協力者に協力依頼をした旨がメールされるため、ＴＶ視聴者が最終的には、協力者の行動がＴＶ番組制作者の意図によるものであることを確認することができる。このため、協力者による協力行動後にも、確実なアフターフォローを行うことができ、番組の臨場感を高めながらも、視聴者に不要な疑問を発生させないようにすることができる。
【００４８】
なお、上述した第１の実施形態では、ＧＰＳ情報を携帯電話から所定時間毎に送信することとして説明したが、人判別部３４による判別に必要なタイミングでＧＰＳ情報が取得できればこのタイミングに限定されず、例えば予め設定された時間範囲内だけ送信する設定であってもよく、ＴＶ受信装置３からの位置情報要求に応じて送信する設定であってもよい。
【００４９】
〔第２の実施形態〕
次に、本発明の第２の実施形態について説明する。
この第２の実施形態は、上述した第１の実施形態でＴＶ受信装置３が放送局からの放送波を受信しているのに替えて、ＤＶＤプレイヤなどの映像再生装置からの再生信号を受信するように構成したものである。
【００５０】
第２の実施形態の構成について、図４を参照して説明する。図４の例では、映像再生装置としてＤＶＤ再生装置５としている。
本実施形態では、ＤＶＤの規格における所定の領域に、第１の実施形態で上述した協力依頼内容および協力者条件が格納されることとする。ＤＶＤ再生装置５は、ＤＶＤからこの協力依頼内容および協力者条件を映像信号と共に読み出し、ＴＶ受信装置３に送信する。
【００５１】
ＴＶ受信装置３は、図４に示すように、ＤＶＤ再生装置５に接続され、上述した第１の実施形態で受信部３１が放送波信号を受信しているのに替えて、ＤＶＤ再生装置５からの出力信号を受信する。
【００５２】
ＤＶＤ再生装置５からＴＶ受信装置３に送信する協力依頼内容および協力者条件のデータは、映像信号と同じ信号線により送信されてもよく、他の接続線を設けてその接続線により送信される構成であってもよい。
【００５３】
Ｗｅｂサーバ２は、協力者への協力依頼メールを確認できるＤＶＤ番組Ｗｅｂサイトを格納する。このＤＶＤ番組Ｗｅｂサイトは、ＤＶＤの企画者などが制作することとする。
【００５４】
第２の実施形態による動作では、事前準備として、上述した第１の実施形態における協力依頼内容および協力者条件を、ＤＶＤの企画者などが番組制作に当たって準備し、ＤＶＤの規格における所定の領域に格納する。
ＴＶ受信装置３の動作は、上述した第１の実施形態で放送波信号を受信しているのに替えて、ＤＶＤ再生装置５からの出力信号を受信するものとなる。
【００５５】
また、協力依頼内容および協力者条件のデータをＤＶＤに格納する構成に替えて、所定のＷｅｂサーバに格納する構成であってもよい。この場合、ＤＶＤ再生装置５がＤＶＤ再生時にネットワーク接続し、Ｗｅｂサーバから協力依頼内容および協力者条件のデータを取得することとなる。また、この場合、Ｗｅｂサーバに格納される協力依頼内容および協力者条件のデータに各種のセキュリティをかける構成であってもよい。
【００５６】
以上のように、上述した第２の実施形態によれば、映像再生装置から映像信号を出力する構成であっても、上述した第１の実施形態と同様の効果を得ることができる。
【００５７】
なお、上述した第２の実施形態では、映像再生装置についてＤＶＤ再生装置を例として説明したが、記録媒体から映像信号を再生する映像再生装置であればこのものに限定されず、例えばブルーレイディスクプレーヤなど、各種記録媒体の再生装置であっても同様に実現することができる。
【００５８】
〔第３の実施形態〕
次に、本発明の第３の実施形態について説明する。
この第３の実施形態は、上述した第１の実施形態でＴＶ受信装置３が本実施形態としての機能を実現する構成に替えて、受信ボックス６が本実施形態としての機能を実現するようにしたものである。
すなわち、一般のＴＶ受信機７に、本実施形態による受信ボックス６がセットトップボックスとして接続される構成としたものである。
【００５９】
第３の実施形態の構成例を図５に示す。図５の例では、放送局１からの放送波を、本実施形態による受信ボックス６と一般のＴＶ受信機７とが受信する。２つの装置が放送波を受信する構成では、分波器を用いる構成であってもよく、一方の装置が受信してそのまま他の装置に放送波を出力する構成であってもよい。
【００６０】
受信ボックス６は、図６に示すように、上述した第１の実施形態におけるＴＶ受信装置３における映像出力部３６を除いた構成となる。また、ＴＶ受信機７の視聴開始を検知するＯＮ／ＯＦＦ検知部６１を備える。
第１の実施形態におけるＴＶ受信装置３と同様のものは同符号とし、説明を省略する。
【００６１】
ＯＮ／ＯＦＦ検知部６１は、例えば電源を受信ボックス６からＴＶ受信機７に供給する構成とし、その消費電力の変化によりＴＶ受信機７のＯＮ／ＯＦＦを検知する構成などにより実現できる。また、ＴＶ受信機７からＯＮ／ＯＦＦの通知信号を受信する構成であってもよい。
【００６２】
第３の実施形態による動作では、上述した第１の実施形態と同様に事前準備が行われた後、ＯＮ／ＯＦＦ検知部６１がＴＶ受信機７による視聴開始を検知することで、第１の実施形態における上述した図３のフローチャートと同様の動作が行われることとなる。
【００６３】
以上のように、上述した第３の実施形態によれば、受信ボックス６を一般のＴＶ受信機７に接続する構成であっても、上述した第１の実施形態と同様の効果を得ることができる。
【００６４】
〔各実施形態について〕
なお、上述した各実施形態は本発明の好適な実施形態であり、本発明はこれに限定されることなく、本発明の技術的思想に基づいて種々変形して実施することが可能である。
【００６５】
例えば、上述した各実施形態では、人判別部３４がカメラによる顔認識とＧＰＳ情報に基づいて判別することとして説明したが、誰が視聴者で誰が協力者候補であるかを判別できればこの方法に限定されず、各種のセンサーを用いた各種の判別方法であってよい。
【００６６】
また、カメラをＴＶ受信装置３に内蔵するだけでなく、例えば家の中の他の部屋など他の場所にもカメラを設けて撮影画像を共有することにより、その場所にいる人が誰なのかを顔認識により判別することができ、各ユーザの位置認識をより確実に行うことができる。
【００６７】
また、同じ機能のＴＶ受信装置が家の中に他にもある場合、そのＴＶ受信装置の視聴者と判別されたユーザを協力者リストから外す構成であってもよい。この構成は、本実施形態のＴＶ受信装置それぞれを事前に接続し、予め接続設定しておくことにより実現できる。
【００６８】
また、上述した各実施形態では、放送局１からの放送波またはＤＶＤ再生装置５からの再生信号をＴＶ受信装置が受信することとして説明したが、映像信号と、協力依頼内容および協力者条件のデータを受信できればこのものに限定されず、例えば、インターネットを介した動画配信や映像のオンデマンド受信の場合であっても、本発明は同様に実現できる。
【００６９】
また、上述した実施形態では、通信部３８が携帯電話のメールアドレスにメール送信することで、協力者や視聴者に通知することとして説明したが、通知できれば携帯メールに限定されず、例えばインスタントメッセージやショートメッセージなどであってもよい。この場合、携帯電話のインスタントメッセージやショートメッセージなどのアドレス情報をユーザ情報として事前に登録しておくことにより、上述した実施形態と同様にそのアドレス情報に対してＴＶ受信装置から送信することができる。
【００７０】
また、上述した各実施形態としての映像受信装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００７１】
この本発明に係るプログラムによれば、当該プログラムによって制御される映像受信装置に、上述した各実施形態における各機能を実現させることができる。
【産業上の利用可能性】
【００７２】
本発明に係る映像受信装置は、映像受信機能を備えていればＴＶに限定されず、映像受信機能を備えたＰＣなどにも適用することができる。
【符号の説明】
【００７３】
１    放送局
２    Ｗｅｂサーバ
３    ＴＶ受信装置
３１    受信部
３２    操作入力部
３３    記憶部
３４    人判別部
３５    通知制御部
３６    映像出力部
３７    カメラ
３８    通信部
４１，４２    携帯電話（通知受信装置の一例）
５    ＤＶＤ再生装置
６    受信ボックス
７    一般のＴＶ受信機
【図１】
0005523145.tif 000002
【図２】
0005523145.tif 000003
【図３】
0005523145.tif 000004
【図４】
0005523145.tif 000005
【図５】
0005523145.tif 000006
【図６】
0005523145.tif 000007